(57)【要約】【課題】透明樹脂板の肉厚に沿ってにＬＥＤ発光素子の照射光を通過させることにより、透明樹脂板に刻設した広告または装飾表示を浮き上がらせる。【解決手段】所定の厚みを有し、片側面より厚み方向に向けて所定の文字、または図形、記号もしくはこれらの組み合わせからなる広告表示または装飾表示を刻設して施した透明樹脂板に対し、該樹脂板の一辺に沿って一定の間隔毎に該樹脂板の片側端面より反対側端面に向けて複数のＬＥＤ発光素子を配設、ＬＥＤ発光素子の光照射を車内に取り付けたコントロール手段によりコントロールすることができる。広告表示または装飾表示を刻設して施した透明樹脂板を車輌の屋根や側面、または後部に取り付けてコントロール手段により光照射をしながら車輌を走行させることにより装飾機能を十分に発揮、また走る広告装置として広告効果を向上、また他車輌と差別化して自車を目立たせるように装飾機能を向上させる。【選択図】図１
2009098314.tif 000002
【特許請求の範囲】
【請求項１】
所定の厚みを有し、しかも片側面より厚み方向に向けて所定の文字、または図形、記号もしくはこれらの組み合わせからなる広告表示を刻設して施した透明樹脂板と、該樹脂板の一辺に沿って一定の間隔毎に該樹脂板の片側端面より反対側端面に向けて配設された少なくとも複数のＬＥＤ発光素子と、該ＬＥＤ発光素子の光照射をコントロールするコントロール手段とからなる車輌用広告装置。
【請求項２】
所定の厚みを有し、しかも片側面より厚み方向に向けて所定の文字、または図形、記号もしくはこれらの組み合わせからなる広告表示を刻設して施した略長方形の透明樹脂板と、該樹脂板の長辺に沿って一定の間隔毎に該樹脂板の片側端面より反対側端面に向けて配設された少なくとも複数のＬＥＤ発光素子と、上記透明樹脂板を車体に取り付けるための固定具と、上記ＬＥＤ発光素子の光照射をコントロールするコントロール手段とからなる車輌用広告装置。
【請求項３】
樹脂板の長辺に沿って一定の間隔毎に該樹脂板の片側端面より反対側端面に向けて配設された複数のＬＥＤ発光素子が赤・青・黄など複数の発光色による光照射のものにより構成されているとともに、コントロール手段によりこれら複数の発光色によるＬＥＤ発光素子を任意のパターンにより光照射がなされるように設定されているところの請求項１又は請求項２に記載の車輌用広告装置。
【請求項４】
透明樹脂板を車体に取り付けるための固定具が、位置調整材を介して透明樹脂板の取付け角度を任意に調整自在としたものである請求項２に記載の車輌用広告装置。
【請求項５】
所定の厚みを有し、しかも片側面より厚み方向に向けて所定の文字、または図形、記号もしくはこれらの組み合わせからなる装飾表示を刻設して施した略長方形の透明樹脂板と、該樹脂板の長辺に沿って一定の間隔毎に該樹脂板の片側端面より反対側面に向けて配設された少なくとも複数のＬＥＤ発光素子と、上記透明樹脂板を車体に取り付けるための固定具と、上記ＬＥＤ発光素子の光照射をコントロールするコントロール手段とからなる車輌用装飾装置。
【請求項６】
樹脂板の長辺に沿って一定の間隔毎に該樹脂板の片側端面より反対側端面に向けて配設された複数のＬＥＤ発光素子が赤・青・黄など複数の発光色による光照射のものにより構成されているとともに、コントロール手段によりこれら複数の発光色によるＬＥＤ発光素子を任意のパターンにより光照射がなされるように設定されているところの請求項５に記載の車輌用装飾装置。
【請求項７】
透明樹脂板を車体に取り付けるための固定具が、位置調整材を介して透明樹脂板の取付け角度を任意に調整自在としたものである請求項５に記載の車輌用広告装置。
【発明の詳細な説明】
【技術分野】
【０００１】
本発明は、走行する車輌に取り付けて十分な広告効果あるいは装飾効果を発揮させることのできる広告および装飾装置に関する。
【背景技術】
【０００２】
走行する車輌を利用した広告は、車輌が移動する限りにおいて一定の箇所に静置される広告物に比して広告効果がきわめて高い。このような観点からこれまでに例えばマグネットラバー付クリアーケース内にチラシ等の広告物を入れて車輌の側面部に張り付けるようにしたもの（特開２００２−２４４６０９号公報参照）が知られている。
【０００３】
また車輌のホイールキャップ表面に、外表面に広告等を施すとともに、中心から偏った位置に重りを取付けた円形表示板を、中心にベアリングを介在させることによりホイールキャップ本体に対して相対的に回転自在に取り付けたものを車輪に嵌め込んで走行するようにしたもの（特開平７−６１２０２号公報参照）も知られている。
【０００４】
さらに、第１・第２・第３の光源体を同一の基板部材上に備えるとともに、これら各光源体を個別に覆う光透過性のグローブ部材で覆った標識灯装置を車輌のルーフ上にマグネットにより取り付けるようにしたもの（実開平２−１５０６０６号公報参照）も知られている。
【特許文献１】特開２００２−２４４６０９号公報
【特許文献２】特開平７−６１２０２号公報
【特許文献３】実開平２−１５０６０６号公報
【発明の開示】
【発明が解決しようとする課題】
【０００５】
しかしながら上記した特許文献１に開示されたものは、タクシーや企業の営業車としては適するものの、一般自家用車輌には違和感があり必ずしも適しない。また特許文献２に開示されたものについても、専ら車輌の側面方向への広告であり、後続車や周囲の車輌に対する広告機能はあまりない。
【０００６】
また車輌の走行による円形表示板の揺れが避けられず、コスト高の割には広告装置としてあまり有効ではない。さらに特許文献３に開示されたものについても、全方位からの視認性の面においては優れているが、一般のタクシー車輌との関係で差別が難しく、広告装置としての大きな機能は得難い。
【課題を解決するための手段】
【０００７】
そこで本発明は、広告装置を違和感のないシンプルな構成とし、タクシーや企業の営業車輌に限らず、一般の自家用車輌との契約によっても安価に広告効果を得ることができるようにし、また車輌自体の装飾についても他車輌と差別化して自車を目立たせるように装飾機能を向上させるようにしたものである。
【０００８】
具体的には所定の厚みを有し、しかも片側面より厚み方向に向けて所定の文字、または図形、記号もしくはこれらの組み合わせからなる広告表示を刻設して施した透明樹脂板と、該樹脂板の一辺に沿って一定の間隔毎に該樹脂板の片側端面より反対側端面に向けて配設された少なくとも複数のＬＥＤ発光素子と、該ＬＥＤ発光素子の光照射をコントロールするコントロール手段とからなる車輌用広告装置に関する。
【０００９】
また所定の厚みを有し、しかも片側面より厚み方向に向けて所定の文字、または図形、記号もしくはこれらの組み合わせからなる広告表示を刻設して施した略長方形の透明樹脂板と、該樹脂板の長辺に沿って一定の間隔毎に該樹脂板の片側端面より反対側端面に向けて配設された少なくとも複数のＬＥＤ発光素子と、上記透明樹脂板を車体に取り付けるための固定具と、上記ＬＥＤ発光素子の光照射をコントロールするコントロール手段とからなる車輌用広告装置にも関する。
【００１０】
さらに所定の厚みを有し、しかも片側面より厚み方向に向けて所定の文字、または図形、記号もしくはこれらの組み合わせからなる装飾表示を刻設して施した略長方形の透明樹脂板と、該樹脂板の長辺に沿って一定の間隔毎に該樹脂板の片側端面より反対側面に向けて配設された少なくとも複数のＬＥＤ発光素子と、上記透明樹脂板を車体に取り付けるための固定具と、上記ＬＥＤ発光素子の光照射をコントロールするコントロール手段とからなる車輌用装飾装置にも関する。
【発明の効果】
【００１１】
本願の発明は、所定の厚みを有し、しかも片側面より厚み方向に向けて所定の文字、または図形、記号もしくはこれらの組み合わせからなる広告表示または装飾表示を刻設して施した透明樹脂板に対し、該樹脂板の一辺に沿って一定の間隔毎に該樹脂板の片側端面より反対側端面に向けて少なくとも複数のＬＥＤ発光素子を配設し、これらのＬＥＤ発光素子の光照射を車内に取り付けたコントロール手段によりコントロールすることができるようにしたために、広告表示または装飾表示を刻設して施した透明樹脂板を車輌の屋根や側面、あるいは後部に取り付けてコントロール手段により光照射をしながら車輌を走行させることによって装飾機能を十分に発揮させ、また走る広告装置として広告効果を向上させることができる。
【００１２】
また固定具により上記透明樹脂板を車体に取り付けるようにした場合においては、上記したＬＥＤ発光素子を配設してなる透明樹脂板を乗用車など車輌の屋上やトランクルーム開閉扉上に、車輌屋上あるいはトランクルーム開閉扉と略平行となるように平らにもしくは幾分傾斜させて取付けることにより、車輌に対して違和感のないシンプルな構成として用いることができ、しかも走行時においてＬＥＤ発光素子による光照射によって、透明樹脂板に刻設して施された広告表示または装飾表示が透明樹脂板の上面にくっきりと顕現された状態のまま車輌が移動するために広告効果が大きく、また他車輌と差別化して自車を目立たせるように装飾機能を向上させる効果も大きい。
【００１３】
さらに透明樹脂板を車体に取り付けるための固定具が、位置調整材を介して透明樹脂板の取付け角度を任意に調整自在としたために、車高の違いや高速道路あるいは繁華街などの走行領域如何により透明樹脂板の取り付け角度を必要に応じて任意に変えることができるために、より一層目立つようにし、あるいは控えめの表示にするなど、表現の度合いについて適宜自在に調整が可能となる。
【発明を実施するための最良の形態】
【００１４】
以下において本発明の具体的な内容について、本発明を乗用車のリアウイング（リアスポイラー）として適用した場合について説明すると、図１は本発明を車輌用広告装置として用いる場合の弟１実施例であり、同図において１は略長方形の透明樹脂板、２は該透明樹脂板１の表面に刻設された広告表示、５はＬＥＤケース、７は取付け用ブラケット、１３は車内に取り付けたコントロール手段をあらわしている。
【００１５】
透明樹脂板１は例えばアクリル材などの所定の厚みを有し、しかも全体が透明な略長方形の樹脂板が用いられ、長さ方向の左右両端部には取り付け材４ａを介してサイドフィン４・４が取り付けられている。広告表示２は略長方形の樹脂板１に、片側面（裏面側）より厚み方向（上面方向）に向けて所定の文字、または図形、記号もしくはこれらの組み合わせからなる広告表示２を手彫りあるいは電子的手法により刻設して施される（図３の断面図を参照）。なお図において３ａ・３ｂは取付け穴をあらわしている。
【００１６】
ＬＥＤケース５は、上記した略長方形の樹脂板１の片側長辺に沿って樹脂板１に対して一体的に取り付けられ、内部には該樹脂板１の長辺に沿って一定の間隔毎に該樹脂板１の片側端面（車輌走行後方）より反対側端面（車輌走行方向）に向けて発光照射されるべく配設された少なくとも複数のＬＥＤ発光素子６が取り付けられている。
【００１７】
さらに取付け用ブラケット７は図３および図４にもあらわしたように、上端部に樹脂板受８を有し、これを高さ位置調整材１０ａを介して取付け用ブラケット７の上端部に取り付ける。すなわち樹脂板受８の裏面（下面）には車輌の走行方向前後に固定部９および１０を有し、一方の固定部９をボルト９ａにより取付け用ブラケット７の一端（車輌走行後方）に形成されている長穴７ａに固定するとともに、もう一方の固定部（車輌後方寄り）１０を取付け用ブラケット７の他端に高さ位置調整材１０ａを介して固定部１０に螺旋止め固定する。
【００１８】
高さ位置調整材１０ａは長さ方向に複数の取り付け用螺旋穴１０ｂ・１０ｃ・１０ｄ・１０ｅが形成されており、端部の取り付け用螺旋穴１０ｂを固定部１０にボルト１０ｆにより固定するとともに、支持穴１０ｇを支点とした樹脂板１の取り付け角度如何により高さ位置調整材１０ａの最適な取り付け用螺旋穴１０ｃ〜１０ｅの何れかを選択して取付け用ブラケット７の固定部９より少し離れた位置に設けられた支持穴にボルト１０ｇにより螺旋止め固定する。また取付け用ブラケット７の下端には車体取り付け用の台座１１ａ・１１ｂが取り付けられている。なお図において１２はＬＥＤ発光素子６に接続されるケーブルをあらわしている。
【００１９】
車内に取り付けたコントロール手段１３は内部に前記した少なくとも複数のＬＥＤ発光素子６を発光させるためのコントロール回路（図示省略）が内臓されており、出力側のケーブル１２を介して各個別のＬＥＤ発光素子６に接続されているとともに、入力側のケーブル１６について、マイナス側１６ａを車体にアース接続させるとともに、プラス側１６ｂをヒューズ１７を介して直流電源（バッテリー）に接続される。
【００２０】
なお図において１２ａと１２ｂは接続端子を、また１４は制御ボタンを、さらに１５はＬＥＤ発光素子を、それぞれあらわしている。なお前記した少なくとも複数のＬＥＤ発光素子６は、白色または青色や赤色など、すべて同系色の発光素子により統一してもよく、また赤・青・緑・紫・透明・黄・白などの複数の発光色のＬＥＤ発光素子６を配設してもよい。
【００２１】
上記したコントロール手段１３内に内臓された複数のＬＥＤ発光素子６を発光させるためのコントロール回路については、例えば赤→ＯＦＦ→青→ＯＦＦ→緑→ＯＦＦ→紫→ＯＦＦ→透明→ＯＦＦ→黄→ＯＦＦ→白→ＯＦＦなど、適宜カラーコントロールサイクルを変更可能とし、また変更速度の調整についても任意に設定することができる。
【００２２】
上記の構成において、車内に取り付けたコントロール手段１３の制御ボタン１４を操作することにより、樹脂板１の片側長辺に沿って一定の間隔毎に該樹脂板１の片側端面（車輌走行後方）より反対側端面（車輌走行方向）に向けて発光照射されるべくＬＥＤケース５内に配設された各ＬＥＤ発光素子６が、コントロール手段１３の手動による、またはあらかじめ設定されたプログラムの内蔵コントロール回路によって発光する。
【００２３】
各ＬＥＤ発光素子６・・・の照射発光は、樹脂板１の片側端面（車輌走行後方）より反対側端面（車輌走行方向）に向けて樹脂板１の層内に発光照射された後、反対側端面（車輌走行方向）に向けて進行し、光の進行途中に樹脂板１に刻設された広告表示２の刻設部分に当たるとその部分で上方に屈折し、樹脂板１の上面方向に刻設された部分の広告表示２が周辺部に比して著しく明るく表現されて外部から容易に視認される。
【００２４】
なお、図２には本発明を車輌用装飾装置として用いる場合の第２実施例が示されている。この場合には略長方形の樹脂板１に、片側面（裏面側）より厚み方向（上面方向）に向けて所定の文字、または図形、記号もしくはこれらの組み合わせ等からなる装飾表示２Ａを手彫りあるいは電子的手法により刻設して施されているものであり、その他の構成については前記した弟１実施例の構成と同様であるので具体的な説明については割愛する。
【図面の簡単な説明】
【００２５】
【図１】本発明の弟１実施例である車輌用広告装置の全体斜視図。
【図２】本発明の第２実施例である車輌用装飾装置の全体斜視図。
【図３】図１におけるＡーＡ線矢視方向の拡大断面図。
【図４】取付け用ブラケットの側面図（Ａ）および斜面図（Ｂ）。
【図５】ＬＥＤケースとコントロ−ル手段の概略図。
【符号の説明】
【００２６】
１      樹脂板
２      広告表示
３ａ    取付け穴
３ｂ    取付け穴
４      サイドフィン
４ａ    取り付け材
５      ＬＥＤケース
６      ＬＥＤ発光素子
７      取付け用ブラケット
７ａ    長穴
８      樹脂板受
９      固定部
９ａ    ボルト
１０      固定部
１０ａ    高さ位置調整材
１０ｂ    取り付け用螺旋穴
１０ｃ    取り付け用螺旋穴
１０ｄ    取り付け用螺旋穴
１０ｅ    取り付け用螺旋穴
１０ｆ    ボルト
１０ｇ    ボルト
１１ａ    台座
１１ｂ    台座
１２ａ    接続端子
１２ｂ    接続端子
１３      コントロール手段
１４      制御ボタン
１５      ＬＥＤ発光素子
１６      入力側のケーブル
１６ａ    マイナス側
１６ｂ    プラス側
１７      ヒューズ
【図１】
2009098314.tif 000003
【図２】
2009098314.tif 000004
【図３】
2009098314.tif 000005
【図４】
2009098314.tif 000006
【図５】
2009098314.tif 000007